(57)【要約】【課題】印刷位置調整を変更した場合でも、印刷データをエンジンに送出する前に、印刷位置を任意で入力したクリッピングの値に調整する。【解決手段】  入力されたデータに基づき印刷ページデータを印刷出力する印刷データ出力部８と、印刷ページデータの横及び縦方向における印刷位置及び印刷禁止領域を指定するパネル１９を備えた画像処理装置である。指定された前記印刷位置を設定する印刷位置調整手段２７と、指定された印刷禁止領域を設定する印刷禁止領域設定手段２６と、を有し、前記印刷禁止領域設定手段２６は、前記設定された印刷位置が変更されたとき、前記印刷位置の変更を相殺する新たな印刷禁止領域を再設定する。【選択図】図１
2014113805.tif 000002
【特許請求の範囲】
【請求項１】
印刷データを出力する印刷データ出力部と、印刷媒体に対する前記印刷データの印刷位置及び印刷禁止領域を指定する操作部を備えた画像処理装置であって、
指定された前記印刷媒体に対する前記印刷位置を印刷位置保持手段に設定する印刷位置調整手段と、
指定された前記印刷媒体に対する印刷禁止領域を印刷禁止領域保持手段に設定する印刷禁止領域設定手段と、を有し、
前記印刷禁止領域設定手段は、前記設定された印刷位置が変更されたとき、前記印刷位置の変更を相殺する新たな印刷禁止領域を算出し、算出した印刷禁止領域を前記印刷禁止領域保持手段に再設定する画像処理装置。
【請求項２】
請求項１に記載された画像処理装置において、
前記印刷位置調整手段は、前記印刷媒体に対する縦及び横方向における印刷位置を前記印刷位置保持手段に設定する画像処理装置。
【請求項３】
請求項２に記載された画像処理装置において、
前記印刷位置は、印刷データの横方向はデータ数及び縦方向はデータ列数に基づき設定される画像処理装置。
【請求項４】
請求項３に記載された画像処理装置において、
前記印刷データ出力部は、前記縦方向のデータ列数及び横方向のデータ数に基づき、読み出した印刷データを前記印刷データの印刷禁止領域では出力せず、前記印刷位置において出力する画像処理装置。
【請求項５】
請求項１ないし４のいずれかに記載された画像処理装置において、
前記印刷禁止領域保持手段は、Ｘ方向左側に対する用紙端の印刷しない領域を設定するためのＸ方向左側印刷禁止領域設定レジスタと、Ｘ方向右側に対する用紙端の印刷しない領域を設定するためのＸ方向右側印刷禁止領域設定レジスタと、Ｙ方向上側に対する用紙端の印刷しない領域を設定するためのＹ方向上側印刷禁止領域設定レジスタと、Ｙ方向下側に対する用紙端の印刷しない領域を設定するためのＹ方向下側印刷禁止領域設定レジスタを備えている画像処理装置。
【請求項６】
請求項１ないし５のいずれかに記載された画像処理装置において、
印刷位置保持手段は、Ｘ方向に対する印刷位置調整を設定するためのＸ方向印刷位置調整レジスタと、Ｙ方向に対する印刷位置調整を設定するためのＹ方向印刷位置調整レジスタを備えている画像処理装置。
【請求項７】
印刷データを出力する印刷データ出力部と、印刷媒体に対する前記印刷データの印刷位置及び印刷禁止領域を指定する操作部を備えた画像処理装置における画像処理方法であって、
指定された前記印刷媒体に対する前記印刷位置を、印刷位置保持手段に設定する印刷位置調整工程と、指定された前記印刷媒体に対する印刷禁止領域を、印刷禁止領域保持手段に設定する印刷禁止領域設定工程と、を有し、
前記印刷禁止領域設定工程では、前記設定された印刷位置が変更されたとき、前記印刷位置の変更を相殺する新たな印刷禁止領域を算出し、算出した印刷禁止領域を前記印刷禁止領域保持手段に再設定する画像処理方法。
【請求項８】
請求項７に記載された画像処理方法の前記各工程をコンピュータで実行するためのプログラム。
【発明の詳細な説明】
【技術分野】
【０００１】
本発明は印刷データをクリッピング可能な画像処理装置、画像処理方法、プログラムに関する。
【背景技術】
【０００２】
紙全面印刷を行う場合、用紙端における用紙の汚れが発生すると共に、用紙端周辺の印刷品質が低下するという問題がある。そのため、従来のプリンタにおける印刷データクリッピング方式では、用紙端からソフトウェアで設定した値まで印刷データを印刷しないようにすることで、用紙端における用紙の汚れを防ぎ、印刷品質の向上を図っている。
【０００３】
しかし、従来の印刷データクリッピング方式では、プリンタの機能に備わった印刷位置調整を変更すると、印刷ページデータをエンジンに送出する前に印刷位置調整が行われ、クリッピングすべき位置も変わる。そのため、クリッピングした範囲を超えて印刷位置調整を変更してしまうことがあり、その場合は、用紙端をはみ出して印刷が行われることになり、印刷品質が著しく低下する。
【０００４】
従来の印刷データクリッピング方式の一例として、特許文献１に記載された印刷データクリッピング方式は、用紙全面を印刷する時に、用紙端からソフトウェアで設定した領域では印刷データを印刷しないように、ユーザが入力した用紙端を印刷しない領域（印刷禁止領域）に指定する。即ち、Ｘを横軸、Ｙを縦軸としたとき、X方向における左右と、Y方向における上下にクリッピングする値を入力し設定することで、クリッピングした部分の印刷ページデータをプリンタエンジンに送出しないようにしている。
【０００５】
この印刷データクリッピング方式は、X方向の左右と、Y方向の上下にクリッピングする値を入力し設定する点では、以下で説明する本発明と類似する。しかし、既に述べたように、この従来の印刷データクリッピング方式では、印刷位置調整を変更した場合に、それに伴ってクリッピングすべき位置も変わる。そのため、クリッピングする値よりも印刷位置調整する値が大きい場合に、用紙端をはみ出して印刷が行われるとの前記問題は解決できない。
【発明の概要】
【発明が解決しようとする課題】
【０００６】
本発明は、従来のクリッピング方式における前記問題に鑑みてなされたものであって、その目的は、画像処理装置において、印刷位置調整を変更した場合でも、印刷データをエンジンに送出する前に、印刷位置を任意で入力したクリッピングの値に調整して、用紙端をはみ出して印刷することを無くすことである。
【課題を解決するための手段】
【０００７】
本発明は、印刷データを出力する印刷データ出力部と、印刷媒体に対する前記印刷データの印刷位置及び印刷禁止領域を指定する操作部を備えた画像処理装置であって、指定された前記印刷媒体に対する前記印刷位置を印刷位置保持手段に設定する印刷位置調整手段と、指定された前記印刷媒体に対する印刷禁止領域を印刷禁止領域保持手段に設定する印刷禁止領域設定手段と、を有し、前記印刷禁止領域設定手段は、前記設定された印刷位置が変更されたとき、前記印刷位置の変更を相殺する新たな印刷禁止領域を算出し、算出した印刷禁止領域を前記印刷禁止領域保持手段に再設定する画像処理装置である。
【発明の効果】
【０００８】
本発明によれば、画像処理装置において、印刷位置調整を変更した場合でも、印刷データをエンジンに送出する前に、印刷位置を任意で入力したクリッピングの値に調整するため、印刷位置調整に関わらず用紙端をはみ出して印刷することを無くすことができる。
【図面の簡単な説明】
【０００９】
【図１】図１Ａは、本発明の実施形態に係るプリンタ制御装置を概略的に説明するブロック図であり、図１Ｂは、プリンタ制御装置のメイン制御部の機能ブロック図である。
【図２】図２Ａ〜２Ｄは、印刷位置とクリッピング位置との関係を本実施形態による印刷位置調整前と印刷位置調整後について説明する図である。
【発明を実施するための形態】
【００１０】
次に、本発明の画像処理装置の実施形態である、ここではプリンタ制御装置について図面を参照して説明する。
本実施形態に係るプリンタ制御装置は、クリッピングのために設定した値を、任意に入力したクリッピング値に自動的に調整して、印刷ページデータをエンジンに送出する前に、指定したとおりのクリッピング値でクリッピングできるようにする。
以下、本発明の実施形態について、具体的に説明する。
【００１１】
図１Ａは、本発明の実施形態に係るプリンタ制御装置を概略的に説明するブロック図であり、図１Ｂは、プリンタ制御装置のメイン制御部２の機能ブロック図である。
図１Ａにおいて、プリンタ制御装置は、ホストコンピュータと接続されたデータ受信部１と、メイン制御部２と、編集処理部３と、ページ展開部４と、ページメモリ５と、データ転送制御部６と、ラインバッファ７と、エンジンに印刷データを出力する印刷データ出力部８と、操作部及び表示用パネルを備えたパネル１９と、を備えて構成されている。
【００１２】
印刷データ出力部８には、Ｘ方向バイト数設定保持手段（ここでは、設定保持手段としてレジスタが用いられている。以下同じ）９、Ｙ方向ライン数設定レジスタ１０、用紙幅設定レジスタ１１、用紙長設定レジスタ１２、Ｘ方向のバイト数をカウントするＸ方向カウンタ１３、Ｙ方向のライン数をカウントするＹ方向カウンタ１４、Ｘ方向左側の印刷禁止領域のバイト数を設定するＸ方向左側印刷禁止領域設定レジスタ１５、同様にＸ方向右側の印刷禁止領域のバイト数を設定するＸ方向右側印刷禁止領域設定レジスタ１６、Ｙ方向上側の印刷禁止ライン数を設定するＹ方向上側印刷禁止領域設定レジスタ１７、Ｙ方向下側の印刷禁止ライン数を設定するＹ方向下側印刷禁止領域設定レジスタ１８、それぞれパネル１９から入力した印刷位置調整のＸ方向における調整値を設定するＸ方向印刷位置調整レジスタ２０、Ｙ方向における調整値を設定するＹ方向印刷位置調整レジスタ２１が備えられている。なお、以上の説明においては、各設定値をそれぞれバイト数とライン数で規定しているが、必ずしもこれに限定されない、データの長さを設定できるものであれば、長さの単に（例えばｍｍ）に置き換えてよい。
【００１３】
以上の構成からなるプリンタ制御装置において、データ受信部１は、ホストコンピュータから送信されるデータを受信すると、受信したデータ（受信データ）をメイン制御部２に送り、メイン制御部２は受信データを解析して、編集処理部３に送信する。編集処理部３は、送信されたデータを展開処理のためのコマンド及びパラメータに編集して、ページ展開部４に送信する。ページ展開部４は、前記コマンド及びパラメータに従い、ビットマップ形式の印刷ページデータをページメモリ５に展開処理を行う。
【００１４】
ページ展開部４は、ページメモリ５に１ページ分の印刷ページデータを展開する。メイン制御部２は、その印刷ページデータの展開処理を終了した後、ページメモリ５に展開された印刷ページデータの先頭アドレス及び転送数を、データ転送制御部６に設定する。
メイン制御部２は、図１Ｂに示すように、印刷データ設定手段２５と、印刷禁止領域設定手段２６と、印刷位置調整手段２７と、を有している。
印刷データ設定手段２５、印刷禁止領域設定手段２６、印刷位置調整手段２７は、いずれもコンピュータでプログラムを実行することで得られる機能実現手段である。
【００１５】
印刷データ設定手段２５は、ページメモリ５に展開された印刷ページデータのＸ方向のバイト数、Ｙ方向のライン数、用紙幅及び用紙長を、印刷データ出力部８のＸ方向バイト数設定レジスタ９、Ｙ方向ライン数設定レジスタ１０、用紙幅設定レジスタ１１及び用紙長設定レジスタ１２に設定する。
また、印刷禁止領域設定手段２６は、ユーザがパネル１９より入力したＸ方向左側に対する用紙端の印刷しない領域をＸ方向左側印刷禁止領域設定レジスタ１５に、Ｘ方向右側に対する用紙端の印刷しない領域を、Ｘ方向右側印刷禁止領域設定レジスタ１６に、Ｙ方向上側に対する用紙端の印刷しない領域を、Ｙ方向上側印刷禁止領域設定レジスタ１７に、Ｙ方向下側に対する用紙端の印刷しない領域をＹ方向下側印刷禁止領域設定レジスタ１８に、それぞれ設定して、クリッピング領域を設定する。
【００１６】
また、印刷位置調整手段２７は、操作部、ここではパネル１９より入力（又は指定）した印刷位置調整のX方向とY方向の設定値を、Ｘ方向印刷位置調整レジスタ２０とＹ方向印刷位置調整レジスタ２１に設定する。なお、Ｘ又はＹ方向の印刷調整値を入力すると、それぞれの方向（Ｘ又はＹ方向）での印刷位置調整レジスタでは、Ｘ方向はバイト数で、Ｙ方向はライン数で、それぞれ、印刷を行う印刷媒体である用紙のＸ方向左端部及びＹ方向上端部を基準（０）として、そこからバイト数が増加する場合は、「＋」を付して、バイト数が減少する場合は「−」を付して設定される。
【００１７】
メイン制御部２による前記各レジスタ９〜１２、１５〜１８、２０、２１の設定後、データ転送制御部６は、ページメモリ５からラインバッファ７に印刷ページデータを転送する。ラインバッファ７に印刷ページデータが転送された後、印刷データ出力部８は、Ｘ方向バイト数設定レジスタ９、Ｙ方向ライン数設定レジスタ１０に設定された値を基に、ラインバッファ７から１頁分の印刷ページデータを読み出し、読み出した印刷ページデータをエンジンに出力する。
【００１８】
この際、既に述べたように、Ｘ方向印刷位置調整レジスタ２０には、印刷位置調整手段２７により、Ｘ方向印刷位置調整のための値が設定されている。ここで、印刷位置調整によって入力されたＸ方向印刷位置調整レジスタ２０の値がプラスの場合、即ち、印刷位置がセットされた用紙の前記基準から印刷方向に変更されるときは、印刷禁止領域設定手段２６は、（Ｘ方向印刷位置調整レジスタ２０の値＋Ｘ方向左側印刷禁止領域設定レジスタ１５の値）で出した値を、Ｘ方向左側印刷禁止領域設定レジスタ１５に再設定する。つまり、Ｘ方向左側印刷禁止領域がＸ方向印刷位置調整レジスタ２０の値の分だけ増大する。
【００１９】
一方、Ｘ方向印刷位置調整レジスタ２０の値がマイナスの場合、即ち、印刷位置が、セットされた用紙の前記基準から印刷方向と逆方向に変更されるときは、印刷禁止領域設定手段２６は、（（（Ｘ方向印刷位置調整レジスタ２０の値×（−２））＋Ｘ方向印刷位置調整レジスタ２０の値）＋Ｘ方向左側印刷禁止領域設定レジスタ１５の値）で出された値を、Ｘ方向左側印刷禁止領域設定レジスタ１５に再設定する。
なお、ここで、式（（Ｘ方向印刷位置調整レジスタ２０の値×（−２））＋Ｘ方向印刷位置調整レジスタ２０の値）を採用したのは、その算出値が必ず＋になるようにするためである。例えば、「Ｘ方向印刷位置調整レジスタ２０の値」に設定値「−５」があったときは、上式は（−５×（−２））＋（−５）＝５となる。
【００２０】
次に、メイン制御部２の印刷禁止領域設定手段２６が行うＸ方向左側印刷禁止領域設定レジスタ１５の再設定について具体的に説明する。
図２Ａ〜２Ｄは、印刷位置とクリッピング位置との関係を印刷位置調整前と印刷位置調整後について説明する図である。
即ち、実線で用紙３０、破線で印刷イメージ３２を表し、例えば「Ｘ方向印刷位置調整レジスタ２０の値」に「−５」を、「Ｘ方向左側印刷禁止領域設定レジスタ１５の値」を「３」に設定した場合について説明する。
【００２１】
図２Ａは用紙３０と基準位置にある印刷イメージ３２の位置（即ち、Ｘ方向印刷位置調整レジスタ２０の値が０）の関係を示している。
図２Ｂは、「Ｘ方向印刷位置調整レジスタ２０の値」が「−５」であるときの印刷イメージを示す。
即ち、「Ｘ方向印刷位置調整レジスタ２０の値」が「−５」であるときは、印刷イメージ３２は用紙の基準位置から左方向に、ここでは５バイトだけずれている。
【００２２】
次に、図２Ｃの状態において、ここでは「Ｘ方向左側印刷禁止領域設定レジスタ１５の値」の設定値が「３」であるから、図２Ｃにおいて、印刷イメージの左端から「Ｘ方向左側印刷禁止領域設定レジスタ１５の値」の設定値が「３」（図中ハッチングで示す印刷禁止領域部分３４）つまり、３バイトがＸ方向左側印刷禁止領域となる。したがって、このままでは、印刷イメージは用紙の左端から２バイト分はみ出した状態で印刷出力されることになる。
【００２３】
そこで、本実施形態では、既に説明したＸ方向印刷位置調整レジスタ２０の値がマイナスの値である場合における、印刷禁止領域の再設定を行う。即ち、本実施形態では、既に述べたように、印刷禁止領域設定手段２６は、式：（（（Ｘ方向印刷位置調整レジスタ２０の値×（−２））＋Ｘ方向印刷位置調整レジスタ２０の値）＋Ｘ方向左側印刷禁止領域設定レジスタ１５の値）で求めた値を、Ｘ方向左側印刷禁止領域設定レジスタ１５に再設定する。
即ち、前記式に、「Ｘ方向印刷位置調整レジスタ２０の値」に「−５」、「Ｘ方向左側印刷禁止領域設定レジスタ１５の値」に「３」を代入して、（（（−５×（−２））＋（−５））＋３）＝８を得る。そこで、この８をＸ方向左側印刷禁止領域設定レジスタ１５に再設定する。
【００２４】
図２Ｄは、前記設定値をＸ方向左側印刷禁止領域設定レジスタ１５に再設定した結果得られるＸ方向左側印刷禁止領域を示す。
即ち、図２Ｄに示すように、Ｘ方向左側印刷禁止領域は、印刷イメージ端から８バイトに設定される。
この場合、図２Ｄから明らかなように、実際の用紙（実用紙）に対してその左端から３バイト（クリッピング領域）が、Ｘ方向左側印刷禁止領域内となる。つまり、「Ｘ方向左側印刷禁止領域設定レジスタ１５」の値（設定値）は、前記Ｘ方向印刷位置調整レジスタ２０の値５を相殺して、印刷位置調整前のＸ方向左側印刷禁止領域と同じ領域（ここでは用紙左端から３バイト）になるように調整される。つまり、実用紙上でのＸ方向左側印刷禁止領域（３バイト）は、印刷位置調整の前後において変わらない。
【００２５】
同じように、Ｘ方向右側印刷禁止領域設定レジスタ１６の値についても同様の設定を行う。即ち、Ｘ方向印刷位置調整レジスタ２０の値がプラスの値の場合は、（Ｘ方向印刷位置調整レジスタ２０の値＋Ｘ方向右側印刷禁止領域設定レジスタ１６の値）で出された値を、Ｘ方向右側印刷禁止領域設定レジスタ１６に再設定する。
【００２６】
また、Ｘ方向印刷位置調整レジスタ２０の値がマイナスの値の場合は、（（（Ｘ方向印刷位置調整レジスタ２０の値×（−２））＋Ｘ方向印刷位置調整レジスタ２０の値）＋Ｘ方向右側印刷禁止領域設定レジスタ１６の値）で出された値を、Ｘ方向右側印刷禁止領域設定レジスタ１６に再設定する。
【００２７】
さらに、Y方向の印刷位置調整についても同じ処理を行う。印刷位置調整によって入力されたＹ方向印刷位置調整レジスタ２１の値がプラスの値の場合は、（Ｙ方向印刷位置調整レジスタ２１の値＋Ｙ方向上側印刷禁止領域設定レジスタ１７の値）で算出された値を、Ｙ方向上側印刷禁止領域設定レジスタ１７に再設定する。また、Ｙ方向印刷位置調整レジスタ２１の値がマイナスの値の場合は、（（（Ｙ方向印刷位置調整レジスタ２１の値×（−２））＋Ｙ方向印刷位置調整レジスタ２１の値）＋Ｙ方向上側印刷禁止領域設定レジスタ１７の値）で出された値を、Ｙ方向上側印刷禁止領域設定レジスタ１７に再設定する。
【００２８】
同様に、Ｙ方向下側印刷禁止領域設定レジスタ１８の値についても同じ処理を行う。Ｙ方向印刷位置調整レジスタ２１の値がプラスの値の場合は、（Ｙ方向印刷位置調整レジスタ２１の値＋Ｙ方向下側印刷禁止領域設定レジスタ１８の値）で算出された値を、Ｙ方向下側印刷禁止領域設定レジスタ１８に再設定する。また、Ｙ方向印刷位置調整レジスタ２１の値がマイナスの値の場合は、（（（Ｙ方向印刷位置調整レジスタ２１の値×（−２））＋Ｙ方向印刷位置調整レジスタ２１の値）＋Ｙ方向下側印刷禁止領域設定レジスタ１８の値）で算出された値を、Ｙ方向下側印刷禁止領域設定レジスタ１８に再設定する。
【００２９】
このように、それぞれ入力された印刷位置調整値に基づく印刷禁止領域についての再設定が行われたときは、Ｘ方向カウンタ１３は、ラインバッファ７から読み出した印刷ページデータの再設定されたＸ方向左右側印刷禁止領域設定レジスタ１５、１６のバイト数を、また、Ｙ方向カウンタ１４は、同様に前記印刷ページデータのＹ方向上下側禁止領域設定レジスタ１７、１８の再設定されたライン数をそれぞれカウントし、印刷データ出力部８は、このカウント値に基づきエンジンへの印刷ページデータの出力制御を行う。
【００３０】
即ち、Ｘ方向に対しては、ラインバッファ７から読み出した印刷ページデータのバイト数をカウントするＸ方向カウンタ１３がＸ方向左側印刷禁止領域設定レジスタ１５に設定された値になるまで、印刷データ出力部８は、エンジンには印刷ページデータを出力せず、Ｘ方向カウンタ１３がＸ方向左側印刷禁止領域設定レジスタ１５の値を超えた時から（用紙幅設定レジスタ１１の値−Ｘ方向右側印刷禁止領域設定レジスタ１６の値）になるまで、エンジンに印刷ページデータの送出を行い、Ｘ方向カウンタ１３が（用紙幅設定レジスタ１１の値−Ｘ方向右側印刷禁止領域設定レジスタ１６の値）になった後は、エンジンに印刷ページデータの送出は行わない。この動作をライン毎に実施する。
【００３１】
また、Ｙ方向に対しては、ラインバッファ７から読み出した印刷ページデータのライン数をカウントするＹ方向カウンタ１４が、Ｙ方向上側印刷禁止領域設定レジスタ１７に設定された値になるまで、印刷データ出力部８は、エンジンには印刷ページデータを出力せず、Ｙ方向カウンタ１４がＹ方向上側印刷禁止領域設定レジスタ１７の値を超えた時から（用紙長設定レジスタ１２の値−Ｙ方向下側印刷禁止領域設定レジスタ１８の値）になるまで、エンジンに印刷ページデータの送出を行い、Ｙ方向カウンタ１４が（用紙長設定レジスタ１２の値−Ｙ方向下側印刷禁止領域設定レジスタ１８の値）になった後は、エンジンに印刷ページデータの送出は行わない。
【００３２】
以上説明したように、本実施形態によれば、印刷位置調整で入力した値を、任意で入力したクリッピングの値で調整することで、印刷ページデータをエンジンに送出する前に、指定したとおりの値でクリッピングすることができ、印刷位置調整を変更如何に関わらず、設定した値でクリッピングすることができるので、用紙端をはみ出して印刷することを無くすことができる。
そのため、用紙全面印刷時、印刷データの印刷位置調整値を変更しても、その度毎に必ず印刷禁止領域が再設定されるため用紙端に対する印刷を行うことがない。
【符号の説明】
【００３３】
１・・・データ受信部、２・・・メイン制御部、３・・・編集処理部、４・・・ページ展開部、５・・・ページメモリ、６・・・データ転送制御部、７・・・ラインバッファ、８・・・印刷データ出力部、９・・・Ｘ方向バイト数設定レジスタ、１０・・・Ｙ方向ライン数設定レジスタ、１１・・・用紙幅設定レジスタ、１２・・・用紙長設定レジスタ、１３・・・Ｘ方向カウンタ、１４・・・Ｙ方向カウンタ、１５・・・Ｘ方向左側印刷禁止領域設定レジスタ、１６・・・Ｘ方向右側印刷禁止領域設定レジスタ、１７・・・Ｙ方向上側印刷禁止領域設定レジスタ、１８・・・Ｙ方向下側印刷禁止領域設定レジスタ、１９・・・パネル、２０・・・Ｘ方向印刷位置調整レジスタ、２１・・・Ｙ方向印刷位置調整レジスタ、２５・・・印刷データ設定手段、２６・・・印刷禁止領域設定手段、２７・・・印刷位置調整手段。
【先行技術文献】
【特許文献】
【００３４】
【特許文献１】特開２００４−３３０６８５号公報
【図１】
2014113805.tif 000003
【図２】
2014113805.tif 000004